(57)【要約】      （修正有）【課題】ペーパーが確実に切断でき、しかも、次回に繰り出すペーパーの端部を持ち出し易く、また、切断刃を被覆するトイレット用ペーパーホルダーにおける切断刃部の安全装置を提供する。【解決手段】帯板材を、全体の形状が「コ」の字状、あるいは全体の形状が「Ｌ」字状に折り曲げて形成し、トイレットペーパーホルダーＺに装着するか、あるいは、トイレットペーパーホルダーＺと一体に形成したフレーム本体１において、該フレーム本体１のロールペーパーＸの軸部Ｙと相対する位置に切断刃２を取付け、該切断刃２に、短辺の断面形状が、円弧状，あるいは、Ｌ字状に形成した保護カバー３，３′を覆って設け、該保護カバー３，３′の上部を、前記フレーム本体１と回動可能に枢着したトイレット用ペーパーホルダーにおける切断刃部の安全装置。【選択図】図４
0003183980.tif 000002
【実用新案登録請求の範囲】
【請求項１】
帯板材を、全体の形状が「コ」の字状、あるいは全体の形状が「Ｌ」字状に折り曲げて形成し、トイレットペーパーホルダー（Ｚ）に装着するか、あるいは、トイレットペーパーホルダー（Ｚ）と一体に形成したフレーム本体（１，１′）において、
該フレーム本体（１，１′）のロールペーパー（Ｘ）の軸部（Ｙ）と相対する位置に切断刃（２）を取付け、
該切断刃（２）に、短辺の断面形状が、円弧状，あるいは、Ｌ字状に形成した保護カバー（３，３′）を覆って設け、該保護カバー（３，３′）の上部を、前記フレーム本体（１，１′）と回動可能に枢着したことを
特徴とするトイレット用ペーパーホルダーにおける切断刃部の安全装置。
【考案の詳細な説明】
【技術分野】
【０００１】
この考案は、トイレット用ペーパーホルダーにおける切断刃部の安全装置に関するものである。
【背景技術】
【０００２】
従来、トイレットペーパーは、ロール状に巻かれたものであり、便器近傍の壁にホルダーに装着されており、使用する際、適宜な長さほど手繰りだして、切断して使用するものである。
【０００３】
しかしながら、ホルダーの上面に設けたカバーの先端面にギザギザ状の刃部が設けられているか、あるいはホルダーの先端辺の断面が尖鋭に形成されており、これを利用してペーパーを切り落とすよう構成されている。
【０００４】
しかし、大抵のカバーは軽いため、片手でペーパーを切り落とそうとするとカバーが浮き上がってしまい、よく切れないため、一方の手でカバーを押さえて、他方の手でペーパーを適当な長さを繰り出して切断しており、両手を用いて使用することは、身体の不自由な人はもちろん、健常者にとっても不便であった。
【０００５】
上記の不便に加え、さらに切り取ったトイレットペーパーの端部は、カバーの中に位置することが多く、この端部を掴むことが煩雑であり、それを解決するというトイレットペーパーの切断具は存在している。例えば、特許文献１のように。
【先行技術文献】
【特許文献】
【０００６】
【特許文献１】登録実用新案第３１７９３３７号公報
【０００７】
しかしながら、この技術内容は、トイレットペーパーホルダー２より下方の壁面４にビス１１にて固定した支持板１２を設けたものであるが、刃部ａ１３は、支持板１２の前部に突出して設けられており、ペーパーの先を引っ張って刃部に接触させて切断しようとしてもローラー状に巻回されており、押さえ箇所がないため、ドンドン繰り出して来て、うまく切断できるものではなかった。
【０００８】
さらに、該切断刃部は露出されており、幼児等が誤って触れ、怪我をする恐れがあり、危険であった。
【考案の開示】
【考案が解決しようとする課題】
【０００９】
そこで、ホルダーより繰り出したペーパーが確実に切断でき、しかも、次回に繰り出すペーパーの端部を持ち出し易いトイレットペーパーであって、かつ、刃部を被覆するカバーを設けたトイレット用ペーパーホルダーにおける切断刃部の安全装置を開発・提供しようとするものである。
【課題を解決するための手段】
【００１０】
課題を解決するための手段として、この考案は、ペーパーホルダーに装着されたロール状に巻回されたペーパーと所定の隙間を隔てて切断刃を有するフレーム本体を設け、かつ、該フレーム本体の刃部を、保護カバーで覆ったトイレット用ペーパーホルダーにおける切断刃部の安全装置である。
【考案の効果】
【００１１】
この考案によると、帯板材を、全体の形状が「コ」の字状、あるいは全体の形状が「Ｌ」字状に折り曲げて形成したフレーム本体と、ペーパーホルダーに装着されたロール状に巻回されたペーパーの外周とは、所定の隙間を保って設けられており、該フレーム本体に切断刃を設けているため、その都度ペーパーはフレーム本体の切断刃で切断されるが、常に切断刃によって切断されたペーパーの余辺は、ペーパーホルダーのカバーより、外で常に切断されるため、次に使用する際、ペーパーの先端部をつまみ易い等の有益なる効果を奏する。
【００１２】
また、ぺーパーの余辺の先端が、フレーム本体から外れても隙間（Ｓ′）から指を差し込んで取り出すことが出来、便利である等の効果も奏する。
【００１３】
さらに、切断刃（２）には、短辺の断面形状が、円弧状に湾曲した，あるいはＬ字状に形成した保護カバー（３，３′）で覆って設けており、該保護カバー（３，３′）の上部を回動可能に枢着することにより、平常時は、該保護カバー（３，３′）の自重により切断刃（２）を覆っているが、ペーパー使用時には、繰り出したペーパーを切断刃（２）に当てがいながら引っ張っても、前記保護カバー（３，３′）は、下部はフリーであり、上部は回動可能に枢着されているため、切断時の障害にはならない。
【図面の簡単な説明】
【００１４】
【図１】この考案に使用する「コ」字状のフレーム本体の一実施例を示し、（Ａ）は斜視図であり、（Ｂ）は、一実施例を示す一部欠截拡大側面図であり、（Ｃ）は、他の実施例の一部欠截拡大側面図である。
【図２】この考案の一実施例を示し、（Ａ）は、平面図であり、（Ｂ）は、正面図である。
【図３】この考案の使用状態を示し、（Ａ）は設置状態の一実施例を示す側面図であり、（Ｂ）は設置状態の他の実施例を示す側面図である。
【図４】この考案の使用状態を示す斜視図である。
【図５】この考案に使用するフレーム本体の他の実施例を示す斜視図である。
【図６】この考案の他の実施例の使用状態を示す斜視図である。
【考案を実施するための最良の形態】
【００１５】
以下、この考案について詳細に説明する。尚、この考案においては、以下の記述に限定されるものではなく、この考案の要旨を逸脱しない範囲においては適宜変更可能である。
【実施例】
【００１６】
そこで、この考案の一実施例を図１〜図４に基づいて説明すると、帯板材を、全体の形状が「コ」の字状に折り曲げて形成し、トイレットペーパーホルダー（Ｚ）に装着するか、あるいは、トイレットペーパーホルダー（Ｚ）と一体に形成したフレーム本体（１）において、該フレーム本体（１）のロールペーパー（Ｘ）の軸部（Ｙ）と相対する位置に切断刃（２）を取付け、該切断刃（２）に、短辺の断面形状が、円弧状，あるいは、Ｌ字状に形成した保護カバー（３，３′）を覆って設け、該保護カバー（３，３′）の上部を、前記フレーム本体（１）と回動可能に枢着したことを特徴とするトイレット用ペーパーホルダーにおける切断刃部の安全装置から構成されるものである。
【００１７】
さらに、詳述すると、取付けフレーム本体（１）は、ビス等の固定手段を用いてペーパーホルダー（Ｚ）の外面に固着するものであり、また、図３（Ｂ）に示すように、内面に固定してもよいものである。
【００１８】
尚、フレーム本体（１）の全体の形状が、「コ」の字状に折り曲げて形成したものであり、素材については限定しないものであり、また、上記の「コ」の字状に折り曲げて形成した取付けフレーム本体（１）は、横幅寸法（Ｗ）は、ペーパーホルダー（Ｚ）の横幅よりもやや大きく形成し、深さ寸法（Ｄ）もペーパーホルダー（Ｚ）の深さ寸法より大きく形成し、ロールペーパー（Ｘ）の外周とフレーム本体（１）とは、隙間（Ｓ）を保って取付けるものである。
【００１９】
さらに、該フレーム本体（１）に取り付ける切断刃（２）は、図１〜図４においては、フレーム本体（１）の外側に設けたものを図示しているが、フレーム本体（１）の内側に設けてもよいものである。
【００２０】
また、固定手段は、図１〜４までは、フレーム本体（１）の両側面にビス穴を複数個形成し、該ビス穴にビスを挿入し、フレーム本体（１）とペーパーホルダー（Ｚ）とを締めつけ固定したものを示しているが、他の方法、例えば、両面テープ、瞬間接着剤で、フレーム本体（１）とペーパーホルダー（Ｚ）とを接着し、固定してもよい。
【００２１】
次に、この考案の他の実施例を図５、図６に基づいて詳述すると、帯板材を、全体の形状が「Ｌ」の字状に折り曲げ、取付けフレーム本体（１′）を設け、該フレーム本体（１′）に形成する切断刃（２）を設けるにあたり、ロールペーパー（Ｘ）と対向し、該ロールペーパー（Ｘ）の軸部（Ｙ）と相向する位置のフレーム本体（１′）に設け、該ロールペーパー（Ｘ）とは所定の間隔（Ｓ）を開けて切断刃（２）を取付け、該切断刃（２）には、短辺の断面形状が、円弧状に湾曲した保護カバー（３）、あるいは、Ｌ字状に湾曲した保護カバー（３′）で、前記切断刃（２）を覆って設け、前記フレーム本体（１）を、固定手段を用いてペーパーホルダー（Ｚ）に固着するトイレットペーパーの簡易切断具から構成されるものである。また、前記Ｌ字状に湾曲した保護カバー（３′）とは、一辺が同じ幅寸法でもよく、一方が他方に比べて短く形成したものであってもよい。
【００２２】
尚、取付けフレーム本体（１′）の横幅寸法（Ｗ′）は、ペーパーホルダー（Ｚ）の横幅よりもやや大きく形成し、深さ寸法（Ｄ）もペーパーホルダー（Ｚ）の深さ寸法より大きく形成するものであるが、図３（Ｂ）に示すように、ペーパーホルダー（Ｚ）の内側に設けてもよく、この場合、ロールペーパー（Ｘ）の軸部（Ｙ）を避けて斜めに取り付けるよう構成している。
【産業上の利用可能性】
【００２３】
この考案のトイレットペーパーの簡易切断具の技術を確立し、この技術をもとに製造・販売することにより産業上の利用可能性を有する。
【符号の説明】
【００２４】
１，１′取付けフレーム本体
２  切断刃
３，３′保護カバー
Ｓ，Ｓ′隙間
Ｗ，Ｗ′横幅寸法
Ｘ  ロールペーパー
Ｙ  軸部
Ｚ  ペーパーホルダー
【図１】
0003183980.tif 000003
【図２】
0003183980.tif 000004
【図３】
0003183980.tif 000005
【図４】
0003183980.tif 000006
【図５】
0003183980.tif 000007
【図６】
0003183980.tif 000008